(57)【特許請求の範囲】
【請求項１】
液体を収容した容器の口頚部に取り付けられ、液体噴出孔を有するノズルを軸線まわりに回転させることにより液体の噴出を許容する状態と液体の噴出を阻止する状態とのいずれかを選択し得るように成したトリガー式液体噴出器に装着される液体噴出防止用カバーであって、液体の噴出を阻止する状態にある液体噴出器に装着された状態において前記ノズルに係合し、前記ノズルの回転を阻止するように、適度の剛性を有する一枚のシート材より成り、両端部にそれぞれ設けられた係合部と、これらの間に設けられ、前記ノズルの外周部に係合する孔または切り欠きとを有し、前記孔または切り欠きを前記ノズルに係合させた状態で液体噴出器の外面に巻き付け、前記各係合部を互いに係合させることにより液体噴出器に装着固定されるように形成されたことを特徴とするトリガー式液体噴出器の液体噴出防止用カバー。
【請求項２】
破断用のジッパーが設けられたことを特徴とする請求項１に記載のトリガー式液体噴出器の液体噴出防止用カバー。
【請求項３】
前記シート材が紙より成ることを特徴とする請求項１に記載のトリガー式液体噴出器の液体噴出防止用カバー。
【発明の詳細な説明】
【０００１】
【発明の属する技術分野】
本発明は、液体を収容した容器の口頚部に取り付けられ、液体噴出孔を有するノズルを軸線まわりに回転させることにより液体の噴出を許容する状態と液体の噴出を阻止する状態とのいずれかを選択し得るように成したトリガー式液体噴出器に装着される液体噴出防止用カバーに関するものである。
【０００２】
【従来の技術】
液体を収容した容器の口頚部に取り付けられ、トリガーを操作することにより容器内の液体を吸い出してノズルの液体噴出孔から噴出させるように成したトリガー式液体噴出器が各種液状製品の容器に用いられているのは周知の通りである。この種の液体噴出器では、流通過程や店頭等においてトリガーの誤操作によって液体が噴出しないように配慮する必要があり、その一例として、液体噴出孔を有するノズルを軸線まわりに回転させることにより液体の噴出を許容する状態と液体の噴出を阻止する状態とのいずれかを選択し得るように成したものが提案されている。
【０００３】
【発明が解決しようとする課題】
しかしながら、この液体噴出器の場合、ノズルに物が当たったり、人の指が触れたりすると、ノズルが回転して液体の噴出を許容する状態になることがあるため、誤って液体が噴出するのを確実に防止することができなかった。
【０００４】
なお、ノズルを囲むように形成されたカバーを液体噴出器に装着してノズルを保護するようにしている場合もあるが、この場合においても、振動や衝撃等によってノズルが回転する可能性があり、必ずしも液体の噴出を確実に防止することはできなかった。
【０００５】
本発明は上述した問題点に鑑みてなされたものであって、その目的は、液体を収容した容器の口頚部に取り付けられ、液体噴出孔を有するノズルを軸線まわりに回転させることにより液体の噴出を許容する状態と液体の噴出を阻止する状態とのいずれかを選択し得るように成したトリガー式液体噴出器に装着され、液体噴出器から誤って液体が噴出するのを確実に防止することができるように成した液体噴出防止用カバーを提供することにある。
【０００６】
【課題を解決するための手段】
上述した目的を達成するために、本発明は、液体を収容した容器の口頚部に取り付けられ、液体噴出孔を有するノズルを軸線まわりに回転させることにより液体の噴出を許容する状態と液体の噴出を阻止する状態とのいずれかを選択し得るように成したトリガー式液体噴出器に装着される液体噴出防止用カバーであって、液体の噴出を阻止する状態にある液体噴出器に装着された状態において前記ノズルに係合し、前記ノズルの回転を阻止するように形成されたことを特徴とするものである。
【０００７】
なお、本発明の液体噴出防止用カバーが、適度の剛性を有する一枚のシート材より成り、両端部にそれぞれ設けられた係合部と、これらの間に設けられ、前記ノズルの外周部に係合する孔または切り欠きとを有し、前記孔または切り欠きを前記ノズルに係合させた状態で液体噴出器の外面に巻き付け、前記各係合部を互いに係合させることにより液体噴出器に装着固定されるように形成された場合には、安価に製造することができるとともに大きな保管スペースを必要としないので好ましい。
【０００８】
なお、この場合、破断用のジッパーが設けられていると、液体噴出器からの取り外しが容易であるので好ましい。
【０００９】
また、前記シート材が紙より成るものであると、廃棄性が良好であるので好ましい。
【００１０】
また、本発明の液体噴出防止用カバーが、液体噴出器に装着された状態において液体噴出器のトリガーを覆うように形成された場合には、液体が誤って噴出するのをより確実に防止することができるので好ましい。
【００１１】
また、本発明の液体噴出防止用カバーが、液体噴出器に装着された状態において液体噴出器のトリガーに係合し、該トリガーの揺動を阻止するように形成された場合には、液体が誤って噴出するのをより確実に防止することができるので好ましい。
【００１２】
【発明の実施の形態】
以下、本発明の具体的な実施形態を図面を参照しながら説明する。図１は本発明の第１の実施形態の液体噴出防止用カバー１の平面図、図２は液体噴出防止用カバー１が装着されるトリガー式液体噴出器１４及び容器１５の斜視図、図３は液体噴出器１４の使用方法の説明図、図４は液体噴出防止用カバー１を液体噴出器１４に装着した状態を示す斜視図、図５は本発明の第２の実施形態の液体噴出防止用カバー２３の平面図、図６本発明の第３の実施形態の液体噴出防止用カバー２９の平面図、図７は液体噴出防止用カバー２９を液体噴出器１４に装着した状態を示す斜視図である。
【００１３】
図１に示す液体噴出防止用カバー１は、適度の剛性を有するコート紙等から成る一枚のシート材を打ち抜き加工して成るもので、中央部が上方に張り出すように弓状に湾曲した基部２と、その両端部にそれぞれ側方に張り出すように形成された係合部３、４とを有している。
【００１４】
基部２の中央部には、液体噴出器１４のノズル１７（後述）が軸線方向に挿入され、ノズル１７の外周部に全周にわたって密接するように形成された逆三角形状の孔５が形成されており、その両側には、上下方向に延びる一対の折罫６、７が刻設されている。また、基部２と係合部３、４との間にもそれぞれ上下方向に延びる折罫８、９が刻設されている。
【００１５】
係合部３には、下縁から上方に向けて延びる係合スリット１０が刻設されており、係合部３の下縁には、係合部４の受け入れを容易にするための切り欠き１１が設けられている。また、係合部４には、上縁から下方に向けて延びる係合スリット１２が刻設されており、係合部４の上縁には、係合部３の受け入れを容易にするための切り欠き１３が設けられている。
【００１６】
液体噴出器１４は、液状のカビ取り剤等を収容した容器１５の口頚部（不図示）に取り付けられて使用するものであって、図３に示すように、噴出器本体１６と、噴出器本体１６の前面に、軸線が水平になるとともに前方に突出するように装着された断面逆三角形状のノズル１７と、噴出器本体１６の前端部に下方に垂下するように取り付けられ、前後方向に揺動自在のトリガー１８とを備えている。
【００１７】
噴出器本体１６は、トリガー１８の操作によって作動するポンプ１９を内装するとともに、下部に容器１５の口頚部に取り付けるための装着筒２０を備えている。装着筒２０の内部には、ポンプ１９に連通接続された吸い上げパイプ（不図示）が遊装されており、この吸い上げパイプは容器１５内部に垂下し、その下端部は容器１５内部の下方に位置している。
【００１８】
ノズル１７は噴出器本体１６に軸線まわりに回転可能に取り付けられており、前面中央部に液体噴出孔２１を有している。ノズル１７は外周部を指で持って回転させるようになっている。ノズル１７が図２の位置にあるときには、噴出器本体１６からの液体の流路（不図示）が遮蔽されて液体噴出孔２１からの液体の噴出が阻止され、ノズル１７を図２の位置から反時計まわり方向に約１２０゜回転させて図３の位置にしたときには、前記流路が開放されて液体噴出孔２１からの液体の噴出が許容されるようになっている。
【００１９】
トリガー１８はポンプ１９に機械的に連結されており、トリガー１８を操作することによって容器１５内の液体が前記吸い上げパイプにより吸い上げられ、ポンプ１９により加圧されてノズル１７の液体噴出孔２１から外部へ噴出されるようになっている。
【００２０】
次に、液体噴出防止用カバー１の装着方法について説明する。
図２に示す状態の液体噴出器１４のノズル１７の外周部に液体噴出防止用カバー１の孔５を係合させて液体噴出防止用カバー１をトリガー１８の前面に当接するまでノズル１７の軸線方向に押し込む。次いで、液体噴出防止用カバー１における孔５の両側の左側壁２ｂ及び右側壁２ｃを折罫６、７に沿って内側にほぼ直角に折り曲げるとともに係合部３、４を折罫８、９に沿って内側にほぼ直角に折り曲げて係合部３、４の係合スリット１０、１１を互いに係合させる。これによって、図４に示すように、液体噴出防止用カバー１が液体噴出器１４の外面に巻き付けられた状態で装着固定される。
【００２１】
この状態において、ノズル１７は孔５によって回転方向に拘束されており、何らかの理由でノズル１７に回転力が作用してもノズル１７が回転することはない。したがって、トリガー１８が誤って操作されたとしても液体噴出孔２１から液体が噴出することはない。
【００２２】
使用時には、液体噴出防止用カバー１の係合部３、４の係合を解除し、液体噴出防止用カバー１を液体噴出器１４から取り外し、ノズル１７を図３の位置に回動する。トリガー１８を操作すると、容器１５内の液体がポンプ１９によって吸い上げられ、ノズル１７の液体噴出孔２１から噴出する。
【００２３】
次に、本発明の第２の実施形態について説明する。
なお、以下の各実施形態において第１の実施形態と対応する部分には同一の符号を付してあり、同一の部分については説明を省略してある。
【００２４】
図５に示すように、この液体噴出防止用カバー２３では、基部２における孔５と係合部３の間の部分に、縦方向に延びる一対の不連続な切込線２４、２５が刻設されており、これらの間に帯状のジッパー２６が形成されている。また、係合部３には、側方に突出した係合突片２７が形成され、係合部４には、この係合突片２７が挿入される係合スリット２８が刻設されている。なお、係合スリット２８は、挿入された係合突片２７が容易に抜けないように形成されている。
【００２５】
この液体噴出防止用カバー２３の液体噴出器１４への取り付け方法は、係合突片２７を係合スリット２８に挿入する以外は第１の実施形態の場合と同様である。そして、本実施形態では、使用時に、ジッパー２６の上端部を指で持ち、これを下方に引っ張って切込線２４、２５に沿って切り取る。これによって、液体噴出防止用カバー２３は破断された状態となるため、液体噴出器１４から容易に取り外すことができる。
【００２６】
次に、本発明の第３の実施形態について説明する。
図６に示す液体噴出防止用カバー２９は、略Ｖ字形に形成された基部３０と、その両端部にそれぞれ側方に張り出すように形成された係合部３１、３２と、基部３０の下端中央部から垂下するように形成された舌片３３とを有している。
【００２７】
基部３０の中央部には、その上端縁から下方に向けて一対の折罫３４、３５が刻設されており、さらにこれらの下端部から基部３０の下端縁に達する一対の切込線３６、３７が刻設されている。また、基部３０と係合部３１、３２との間には上下方向に延びる折罫３８、３９が刻設されており、基部３０と舌片３３の間には横方向に延びる折罫４０が刻設されている。
【００２８】
舌片３３の上部には横方向に延びる折罫４１が刻設されており、折罫４１と折罫４０の間には、液体噴出器１４のノズル１７が軸線方向に挿入され、ノズル１７の外周部に全周にわたって密接するように形成された逆三角形状の孔４２が形成されている。また、舌片３３における先端縁と折罫４１の間の部分には、トリガー１８が長さ方向に挿入され、トリガー１８の外周部に密接するように形成された略矩形状の孔４３が形成されている。
【００２９】
次に、この液体噴出防止用カバー２９の装着方法について説明する。
図２に示す状態の液体噴出器１４のトリガー１８に液体噴出防止用カバー２９の舌片３３に設けられた孔４３を係合し、舌片３３の先端部を噴出器本体１６と装着筒２０の間に挿入し、その先端縁をポンプ１９における容器本体１５との接続管１９ａ（図７参照）に当接させる。次いで、舌片３３を折罫４１に沿って上方に折り曲げて孔４２をノズル１７の外周部に係合し、基部３０を折罫４０に沿って後方に略直角に折り曲げる。
【００３０】
そして、基部３０における折罫３４、３５の両側の部分を下方に略直角に折り曲げ、係合部３１、３２を折罫３８、３９に沿って内方に略直角に折り曲げて装着筒２０と噴出器本体１６との間に係合する。これによって、図７に示すように液体噴出防止用カバー２９が液体噴出器１４に装着固定された状態となる。
【００３１】
この状態において、ノズル１７の回転が孔４２によって阻止されるのは上記実施形態と同様である。そして、本実施形態では、トリガー１８が孔４３に係合するとともに舌片３３の先端部がポンプ１９の接続管１９ａに当接しているため、トリガー１８の後方への揺動が阻止されている。
【００３２】
ノズル１７が液体の噴出を阻止する状態にあるときにトリガー１８を操作すると容器本体１５内の液体が加圧され、ノズル１７を液体の噴出を許容する状態に回動したときに液体噴出孔２１から突発的に液体が噴出することがある。本実施形態では、トリガー１８に外力が作用してもその揺動が阻止されるため、このような恐れが無い。
【００３３】
なお、本発明は上述した実施形態に限定されるものではなく、種々の態様で実施することができる。
【００３４】
例えば、上述した実施形態では、ノズルの外周部に係合する孔が形成されているが、これに代えてノズルの外周部に係合する切り欠きを形成するようにしていてもよい。
【００３５】
また、液体噴出器に装着された状態でトリガーを覆うように形成すると、トリガーに外力が作用しにくくなるため、液体が誤って噴出するのをより確実に防止することができる。
【００３６】
その他にも、本発明の要旨を逸脱しない範囲で種々の態様で実施することができる。
【００３７】
【発明の効果】
以上説明したように本発明の液体噴出防止用カバーは、液体の噴出を阻止する状態にある液体噴出器に装着された状態においてノズルに係合し、ノズルの回転を阻止するように形成されているため、ノズルに何らかの理由で回転力が作用してもノズルが回転することがなく、液体噴出器が液体の噴出を許容する状態になることがない。したがって、液体噴出器から誤って液体が噴出するのを確実に防止することができる。
【００３８】
また本発明の液体噴出防止用カバーは、極めて簡単な構造であるとともに量産性に優れているため、安価に製造することができる。また、大きな保管スペースを必要としないため、製造時における取り扱い性に優れている。
【００３９】
また本発明の液体噴出防止用カバーは、破断用のジッパーが設けられていることにより、液体噴出器からの取り外しが容易であるため、使用時における取り扱い性に優れている。
【００４０】
また本発明の液体噴出防止用カバーは、紙によって形成されていることにより、燃えやすく、かつ有毒ガスを発生しないため、廃棄性に優れている。
【００４１】
また本発明の液体噴出防止用カバーは、液体噴出器に装着された状態においてトリガーを覆うように形成されていることにより、トリガーに外力が作用しにくいため、液体が誤って噴出するのをより確実に防止することができる。
【００４２】
また本発明の液体噴出防止用カバーは、液体噴出器に装着された状態において液体噴出器のトリガーに係合し、該トリガーの揺動を阻止するように形成されたことにより、トリガーに外力が作用してもトリガーが揺動しないため、液体が誤って噴出するのをより確実に防止することができる。
【図面の簡単な説明】
【図１】  本発明の第１の実施形態の液体噴出防止用カバー１の平面図。
【図２】  液体噴出防止用カバー１が装着されるトリガー式液体噴出器１４及び容器１５の斜視図。
【図３】  液体噴出器１４の使用方法の説明図。
【図４】  液体噴出防止用カバー１を液体噴出器１４に装着した状態を示す斜視図。
【図５】  本発明の第２の実施形態の液体噴出防止用カバー２３の平面図。
【図６】  本発明の第３の実施形態の液体噴出防止用カバー２９の平面図。
【図７】  液体噴出防止用カバー２９を液体噴出器１４に装着した状態を示す斜視図。
【符号の説明】
１  液体噴出防止用カバー
１４  液体噴出器
１５  容器
１７  ノズル
２１  液体噴出孔
【図１】
0004367999.tif 000002
【図２】
0004367999.tif 000003
【図３】
0004367999.tif 000004
【図４】
0004367999.tif 000005
【図５】
0004367999.tif 000006
【図６】
0004367999.tif 000007
【図７】
0004367999.tif 000008